(57)【要約】【課題】本発明の課題は、空調空間ごとの目標温度の設定を可能にしながらも、空調空間の目標温度と実際の温度との不一致に対するユーザの不満を和らげることができる表示方法、表示プログラム及び表示システムを提供することである。【解決手段】表示方法、表示プログラム及び表示システムは、熱源装置からの熱エネルギーを建物の複数の空調空間に配分する空調システムを制御するための制御画面を表示する。制御画面は、複数の空調空間の目標温度を設定する温度設定画面Ｐ２０を含む。温度設定画面Ｐ２０は、表示領域Ｒ２０と、操作領域Ｒ２１と、を含む。表示領域Ｒ２０は、空調システム１０の基準温度の値を表示する。操作領域Ｒ２１は、複数の空調空間から選択される一つの空調空間の目標温度自体を表示せずに当該目標温度の基準温度に対する相対値を変更するための１又は２以上の目標温度変更領域Ｒ２２を含む。【選択図】  図４
2018109467.tif 000002
【特許請求の範囲】
【請求項１】
建物に設置され熱源装置からの熱エネルギーを前記建物の複数の空調空間に配分する空調システムを制御するための制御画面を、画像表示装置に表示し、
前記制御画面は、前記複数の空調空間の目標温度を設定する温度設定画面を含み、
前記温度設定画面は、
前記空調システムの基準温度の値を表示する表示領域と、
前記複数の空調空間から選択される一つの空調空間である対象空間の目標温度自体を表示せずに当該目標温度の前記基準温度に対する相対値を変更するための１又は２以上の目標温度変更領域を含む操作領域と、
を含む、
表示方法。
【請求項２】
前記温度設定画面は、前記相対値自体を含まない、
請求項１の表示方法。
【請求項３】
前記１又は２以上の目標温度変更領域の各々は、前記対象空間の目標温度を前記基準温度より高くするための第１オブジェクトと、前記対象空間の目標温度を前記基準温度より低くするための第２オブジェクトと、を含み、
前記第１オブジェクトと前記第２オブジェクトとは、視覚的に区別可能に表示される、
請求項１又は２の表示方法。
【請求項４】
前記１又は２以上の目標温度変更領域の各々は、前記対象空間の目標温度の前記基準温度に対する現在の相対値を表す状態表示オブジェクトを含む、
請求項１〜３のいずれか一つの表示方法。
【請求項５】
前記１又は２以上の目標温度変更領域の各々は、前記基準温度を表す基準温度オブジェクトを含み、前記基準温度オブジェクトと前記状態表示オブジェクトとを、前記操作領域の所定方向における前記基準温度オブジェクトと前記状態表示オブジェクトとの位置関係が前記現在の相対値を表すように表示する、
請求項４の表示方法。
【請求項６】
前記操作領域は、前記２以上の目標温度変更領域を含み、
前記２以上の目標温度変更領域は、前記所定方向に交差する配列方向に並び、
前記２以上の目標温度変更領域の前記基準温度オブジェクトは、前記配列方向に沿って一列に並ぶ、
請求項５の表示方法。
【請求項７】
さらに、前記基準温度を変更するための基準温度変更領域を表示する、
請求項１〜６のいずれか一つの表示方法。
【請求項８】
さらに、前記複数の空調空間についての設定を一括して変更するための一括設定領域を表示する、
請求項１〜７のいずれか一つの表示方法。
【請求項９】
さらに、前記複数の空調空間についての設定を個別に変更するための個別設定領域を表示する、
請求項１〜８のいずれか一つの表示方法。
【請求項１０】
前記熱源装置の複数の運転モードから選択される特定の運転モードで前記熱源装置が動作する期間を設定するための運転モード設定領域を表示する、
請求項１〜９のいずれか一つの表示方法。
【請求項１１】
コンピュータシステムにより実行されると、
前記コンピュータシステムが、建物に設置され熱源装置からの熱エネルギーを前記建物の複数の空調空間に配分する空調システムを制御するための制御画面を、画像表示装置に表示し、
前記制御画面は、前記複数の空調空間の目標温度を設定する温度設定画面を含み、
前記温度設定画面は、
前記空調システムの基準温度の値を表示する表示領域と、
前記複数の空調空間から選択される一つの空調空間である対象空間の目標温度自体を表示せずに当該目標温度の前記基準温度に対する相対値を変更するための１又は２以上の目標温度変更領域を含む操作領域と、
を含む、
表示プログラム。
【請求項１２】
建物に設置され熱源装置からの熱エネルギーを前記建物の複数の空調空間に配分する空調システムを制御するための制御画面を、画像表示装置に表示する表示制御部を備え、
前記制御画面は、前記複数の空調空間の目標温度を設定する温度設定画面を含み、
前記温度設定画面は、
前記空調システムの基準温度の値を表示する表示領域と、
前記複数の空調空間から選択される一つの空調空間である対象空間の目標温度自体を表示せずに当該目標温度の前記基準温度に対する相対値を変更するための１又は２以上の目標温度変更領域を含む操作領域と、
を含む、
表示システム。
【発明の詳細な説明】
【技術分野】
【０００１】
本発明は、表示方法、表示プログラム及び表示システムに関し、特に、空調システムを制御するための制御画面を画像表示装置に表示する表示方法、表示プログラム及び表示システムに関する。
【背景技術】
【０００２】
特許文献１は、高気密高断熱住宅（建物）内の全室（空調空間）の空気調和を行う空気調和装置（空調システム）を開示する。特許文献１の空気調和装置では、室内機に、リビング内に空調空気を吹き出す主吹出口と、３つの個室内に空調空気をそれぞれ吹き出す補助吹出口とが設けられている。各補助吹出口と各個室とは、主吹出口からリビング内に吹き出す風量よりも少ない風量を補助吹出口から各個室内に吹き出すように補助ダクトでそれぞれ連通される。特許文献１では、各吹出用補助ダクト内の各個室側の端部に、風量調整を行うダンパがそれぞれ設けられているので、リビング及び各個室の温度等に基づいて各個室内に吹き出される風量を調整することができる。
【先行技術文献】
【特許文献】
【０００３】
【特許文献１】特開平１０−３２５５６５号公報
【発明の概要】
【発明が解決しようとする課題】
【０００４】
特許文献１に記載の空調システムは、いわゆる、全館空調システムである。そのため、各空調空間に個別に空調機器が設置される場合に比べれば、空調空間の実際の温度が目標温度に一致しない場合が多い。
【０００５】
本発明の課題は、空調空間ごとの目標温度の設定を可能にしながらも、空調空間の目標温度と実際の温度との不一致に対するユーザの不満を和らげることができる表示方法、表示プログラム及び表示システムを提供することである。
【課題を解決するための手段】
【０００６】
本発明に係る一態様の表示方法は、建物に設置され熱源装置からの熱エネルギーを前記建物の複数の空調空間に配分する空調システムを制御するための制御画面を、画像表示装置に表示することを含む。前記制御画面は、前記複数の空調空間の目標温度を設定する温度設定画面を含む。前記温度設定画面は、表示領域と操作領域とを含む。前記表示領域は、前記空調システムの基準温度の値を表示する。前記操作領域は、前記複数の空調空間から選択される一つの空調空間である対象空間の目標温度自体を表示せずに当該目標温度の前記基準温度に対する相対値を変更するための１又は２以上の目標温度変更領域を含む。
【０００７】
本発明に係る一態様の表示プログラムは、コンピュータシステムにより実行されると、前記コンピュータシステムが、制御画面を、画像表示装置に表示するプログラムである。前記制御画面は、建物に設置され熱源装置からの熱エネルギーを前記建物の複数の空調空間に配分する空調システムを制御するための画面である。前記制御画面は、前記複数の空調空間の目標温度を設定する温度設定画面を含む。前記温度設定画面は、表示領域と操作領域とを含む。前記表示領域は、前記空調システムの基準温度の値を表示する。前記操作領域は、前記複数の空調空間から選択される一つの空調空間である対象空間の目標温度自体を表示せずに当該目標温度の前記基準温度に対する相対値を変更するための１又は２以上の目標温度変更領域を含む。
【０００８】
本発明に係る一態様の表示システムは、建物に設置され熱源装置からの熱エネルギーを前記建物の複数の空調空間に配分する空調システムを制御するための制御画面を、画像表示装置に表示する表示制御部を備える。前記制御画面は、前記複数の空調空間の目標温度を設定する温度設定画面を含む。前記温度設定画面は、表示領域と操作領域とを含む。前記表示領域は、前記空調システムの基準温度の値を表示する。前記操作領域は、前記複数の空調空間から選択される一つの空調空間である対象空間の目標温度自体を表示せずに当該目標温度の前記基準温度に対する相対値を変更するための１又は２以上の目標温度変更領域を含む。
【発明の効果】
【０００９】
本発明に係る態様の表示方法、表示プログラム及び表示システムによれば、空調空間ごとの目標温度の設定を可能にしながらも、空調空間の目標温度と実際の温度との不一致に対するユーザの不満を和らげることができるという効果を奏する。
【図面の簡単な説明】
【００１０】
【図１】図１は、本発明に係る一実施形態の表示システム（操作表示装置）と空調システムとを含む全体システムの構成を示す概略図である。
【図２】図２は、上記表示システム（操作表示装置）のブロック図である。
【図３】図３は、上記表示システムにより画像表示装置に表示される制御画面の一例（状態表示画面）を示す図である。
【図４】図４は、上記制御画面の一例（温度設定画面）を示す図である。
【図５】図５は、上記制御画面の一例（表示順変更画面）を示す図である。
【図６】図６は、上記制御画面の一例（その他設定画面）を示す図である。
【図７】図７は、上記制御画面の一例（セーブ設定選択画面）を示す図である。
【図８】図８は、上記制御画面の一例（セーブ設定変更画面）を示す図である。
【図９】図９は、上記制御画面の一例（期間設定画面）を示す図である。
【発明を実施するための形態】
【００１１】
１．実施形態
１．１  構成
図１は、本実施形態の表示システム（操作表示装置）４０を含む全体システムの構成を示す。操作表示装置４０は、空調システム１０をユーザが操作するためのユーザインタフェースとして機能する。特に、操作表示装置４０は、図２に示すように、画像表示装置４１を備えており、グラフィカルユーザインタフェース（GUI：Graphic User Interface）として機能する。
【００１２】
１．１．１  空調システム
空調システム１０は、いわゆる全館空調システムであり、図１に示すように、建物２０に設置される。建物２０は、例えば、戸建て住宅である。なお、建物２０は、戸建て住宅に限らず、集合住宅、店舗などの他の建物であってもよい。空調システム１０は、熱源装置１１を備え、熱源装置１１が生成した熱エネルギーを冷気あるいは暖気として建物２０のほぼ全体に供給するように構成される。また、空調システム１０は、空調と換気とを行うように構成されている。
【００１３】
空調システム１０は、図１に示すように、熱源装置１１に加えて、エアフィルタ１２と、２台の搬送ファン１３と、６個のダンパ１４と、６個の吹出口１５とを備える。また、空調システム１０は、熱源装置１１から空気を送り出す給気ダクト１６と、熱源装置１１に空気を導入する外気ダクト１７１を備える。なお、図１中の破線の矢印１７２は、建物２０の部屋２３から室内機１１１への空気の流れを示す。また、空調システム１０は、床下２２の空気を取り込む換気ファン１９を備える。換気ファン１９は、外気ダクト１７１に接続されている。さらに、空調システム１０は制御装置３０及び６個の温度センサ１８を備えている。ここでは、熱源装置１１とエアフィルタ１２と２台の搬送ファン１３とは、建物２０に設置される単一の筐体１０１に収納されており、ユニット化されている。なお、空調システム１０は、建物２０の部屋２３から室内機１１１への空気の流れ（矢印１７２で示す空気の流れ）を確保するために還流ダクトを備えてもよい。
【００１４】
空調システム１０は、熱源装置１１が生成した熱エネルギーを６個の吹出口１５に配分するために、給気ダクト１６、２台の搬送ファン１３、及び６個のダンパ１４を備えている。すなわち、給気ダクト１６と２台の搬送ファン１３と６個のダンパ１４とは、熱源装置１１が生成した熱エネルギーを６個の吹出口１５に配分する分配装置１０２を構成している。熱源装置１１が生成した熱エネルギーを６個の吹出口１５に配分する割合は、２台の搬送ファン１３それぞれの風量と、６個のダンパ１４それぞれの開度とにより決まる。すなわち、制御装置３０が分配装置１０２を制御することにより、熱源装置１１が生成した熱エネルギーを６個の吹出口１５に配分する割合が決まる。
【００１５】
ダンパ１４は、ＶＡＶユニット（VAV：Variable Air Volume）で実現される。ダンパ１４と吹出口１５とは一対一に対応しているため、ダンパ１４と吹出口１５との個数は同数（図１では６個）である。搬送ファン１３の台数と、ダンパ１４及び吹出口１５の個数とは、熱源装置１１の容量、建物２０の構成及び規模などに応じて適宜に定められる。
【００１６】
建物２０は内部に複数の空調空間２１を備える。空調空間２１は、空調の対象となる空間である。複数の空調空間２１それぞれは、一般的には、建物２０の部屋２３に一対一に対応している。ただし、単一の部屋２３に複数の空調空間２１が存在する場合があり、また単一の空調空間２１が複数の部屋２３に跨がる場合がある。空調空間２１は、部屋２３に限らず、廊下あるいは階段であってもよい。複数の空調空間２１には、それぞれ吹出口１５及び温度センサ１８が配置される。すなわち、複数の空調空間２１それぞれには、吹出口１５から空気が供給され、複数の空調空間２１それぞれの気温が温度センサ１８により計測される。複数の空調空間２１それぞれに単位時間に供給される熱量は、吹出口１５から空調空間２１に供給される空気の温度及び流量により決まる。
【００１７】
温度センサ１８は、複数の空調空間２１のそれぞれに配置される。温度センサ１８は、輻射熱の影響を受けずに気温を計測するように、通気口を有したケースに収納されていることが望ましい。空調空間２１において温度センサ１８が配置される場所は、吹出口１５が吹き出した空気が温度センサ１８に直接当たることがないように定められる。温度センサ１８の位置は、空調空間２１を囲む壁面であって、例えば床から１１０［ｃｍ］以上１２０［ｃｍ］以下の高さとなるように定められる。このような温度センサ１８の位置は、適宜に変更することが可能である。
【００１８】
吹き抜けが形成されている部屋２３であって、床から天井までの寸法が大きい場合、複数の吹出口１５が上下に離れて配置されることがある。このような部屋２３では、単一の部屋２３に上下に並んだ複数の空調空間２１が形成され得る。吹き抜けが形成されている部屋２３は、１階の天井がなく２階の天井が部屋２３の天井であることが多い。吹き抜けが形成されている部屋２３が、上下に並ぶ２つの空調空間２１を備える場合、温度センサ１８は２つの空調空間２１それぞれに配置される。そして、一方の温度センサ１８は１階の床から上述した高さとなる位置に配置され、他方の温度センサ１８は２階の床に相当する高さから上述した高さだけ上の位置に配置される。このような温度センサ１８の位置は一例に過ぎず、適宜に変更することが可能である。なお、空調空間２１が比較的大きい場合には、複数の吹出口１５が配置され得る。この場合、複数の吹出口１５は、同じ空調空間２１の１つの温度センサ１８に対応付けられてもよい。
【００１９】
熱源装置１１は、１台の室内機１１１と１台の室外機１１２とを備えたヒートポンプ式のエアコンであって、室内機１１１からの空気は給気ダクト１６を通して空調空間２１に供給される。また、室内機１１１が取り込む空気は、建物２０の床下２２から外気ダクト１７１を通して取り込まれる屋外の空気と、建物２０の内部から回収される屋内の空気（矢印１７２参照）とである。
【００２０】
熱源装置１１は、室内機１１１から冷気を送り出す冷房運転（冷房モード）と、室内機１１１から暖気を送り出す暖房運転（暖房モード）との２つの運転モードを有する。ここで、熱源装置１１は、冷房運転の際は、室内機１１１から送り出す冷気の温度（熱源装置１１の設定温度）が、いずれの空調空間２１の目標温度も上回らないように動作することが好ましい。また、熱源装置１１は、暖房運転の際は、室内機１１１から送り出す暖気の温度（熱源装置１１の設定温度）がいずれの空調空間２１の目標温度も下回らないように動作することが好ましい。そのため、熱源装置１１が給気ダクト１６に送り出す空気には、熱源装置１１の運転状態に応じて、熱源装置１１が冷却した冷気と、熱源装置１１が加熱した暖気と、熱源装置１１が冷却と加熱とのいずれも行っていない空気とがある。なお、暖房運転の際の熱量は暖気の熱量を意味し、冷房運転の際の熱量は冷気の熱量を意味する。
【００２１】
室内機１１１からの空気は、エアフィルタ１２を通して給気ダクト１６に送られる。エアフィルタ１２は、ＨＥＰＡフィルタ（HEPA：High Efficiency Particulate Air）であることが望ましい。エアフィルタ１２がＨＥＰＡフィルタであれば、微小粒子状物質の除去が可能である。ここに、室内機１１１はフィルタを内蔵している。サイズが比較的大きい塵埃は、空気をエアフィルタ１２に導入する前に、このフィルタで除去される。そのため、エアフィルタ１２の目詰まりが抑制される。
【００２２】
給気ダクト１６は、２系統の分岐ダクト１６１に分岐しており、室内機１１１から送り出されエアフィルタ１２を通った空気が、２系統の分岐ダクト１６１それぞれに導入される。２系統の分岐ダクト１６１それぞれに搬送ファン１３が配置されている。２台の搬送ファン１３はそれぞれ室内機１１１からの空気を加速する。この空調システム１０では、２系統の分岐ダクト１６１それぞれが、更に３系統の末端ダクト１６２に分岐している。つまり、室内機１１１からの空気は６系統の末端ダクト１６２に導入される。
【００２３】
６系統の末端ダクト１６２のそれぞれにはダンパ１４が配置される。ダンパ１４は、開度が調節可能であり、開度の変化により末端ダクト１６２を通る空気の流量を変化させる。末端ダクト１６２の末端には吹出口１５が接続されている。したがって、室内機１１１からの空気は、搬送ファン１３を通してダンパ１４に送られ、ダンパ１４で流量が調節された後、吹出口１５を通して空調空間２１に吹き出す。なお、空調空間２１に供給される空気の流量は、必要に応じて、熱源装置１１及び搬送ファン１３によっても調整される。
【００２４】
空調システム１０は、建物２０の換気を常時行う。そのため、原則として、搬送ファン１３は常に運転を行う。この場合、熱源装置１１は停止されてもよい。すなわち、外気ダクト１７１及び建物２０の各部屋２３から室内機１１１に導入される空気は、熱源装置１１が冷却あるいは加熱を行わない場合でも、換気のために空調空間２１に送り込まれる。ただし、メンテナンスなどの必要に応じて搬送ファン１３を停止させることは可能である。
【００２５】
制御装置３０は、６個の温度センサ１８それぞれが計測した温度を所定時間ごとに現在温度として取得する。また、制御装置３０は、操作表示装置４０と通信する機能を有しており、操作表示装置４０から取得した制御情報に基づいて、熱源装置１１と分配装置１０２（特に搬送ファン１３とダンパ１４）とを制御する。制御情報は、熱源装置１１の制御情報（第１制御情報）と、分配装置１０２の制御情報（第２制御情報）とを含む。
【００２６】
第１制御情報は、基準温度情報と運転モード情報とを含む。基準温度情報は、空調システム１０の新たな基準温度を示す情報である。制御装置３０は、空調システム１０の基準温度を、基準温度情報で示される新たな基準温度に変更する。このように基準温度を変更すると、制御装置３０は、変更後の基準温度に基づいて熱源装置１１の設定温度を決定し、決定した設定温度を示す情報を熱源装置１１に出力する。制御装置３０は、運転モード情報に従って熱源装置１１の運転モードを変更する。ここで、運転モード情報は、即時の運転モードの変更を指示する情報と、所定のタイミングでの運転モードの変更を指示する情報である。所定のタイミングは、操作表示装置４０で設定される。つまり、制御装置３０は、即時の運転モードの変更を指示する情報を受け取れば、熱源装置１１の運転モードを当該情報で指示される運転モードに変更する。また、制御装置３０は、所定のタイミングでの運転モードの変更を指示する情報を受け取れば、熱源装置１１の運転モードを所定のタイミングで当該情報で指示される運転モードに変更する。
【００２７】
第２制御情報は、目標温度情報とセーブ時間情報とを含む。目標温度情報は、対象の空調空間２１の新たな目標温度を示す情報である。制御装置３０は、複数の空調空間２１の実際の温度（現在温度）と目標温度とに基づいて、熱源装置１１と分配装置１０２（特に搬送ファン１３とダンパ１４）とを制御し、６個の吹出口１５への単位時間当たりの熱量の配分量を調節する。例えば、制御装置３０は、複数の空調空間２１それぞれについて、目標温度と現在温度との温度差を計算する。そして、制御装置３０は、複数の空調空間２１それぞれの温度差に基づいて、複数の空調空間２１それぞれに熱源装置１１から供給する熱量の配分量を定める。これによって、制御装置３０は、複数の空調空間２１の現在温度が目標温度に近付ける。セーブ時間情報は、対象の空調空間２１の空調の効果を下げる時間帯を示す情報である。制御装置３０は、セーブ時間情報で指示される時間帯（セーブ時間）では、対象の空調空間２１の空調の効果を下げるセーブ動作を行う。つまり、セーブ動作は、空調に使用される電力（つまり、消費電力）を低下させる動作である。したがって、セーブ時間は、エネルギー消費を抑える時間（省エネ時間）である。例えば、制御装置３０は、対象の空調空間２１の現在温度と、セーブ時間用温度とに基づいて熱源装置１１と分配装置１０２とを制御する。セーブ時間用温度は、例えば、冷房モードでは、対応する空調空間２１の目標温度より所定温度（例えば１℃）だけ高い温度である。また、セーブ時間用温度は、例えば、暖房モードでは、対応する空調空間２１の目標温度より所定温度（例えば２℃）だけ低い温度である。なお、セーブ動作では、必ずしもセーブ時間用温度を設定する必要はなく、空調空間２１の空調に使用される電力が低下すればその他のパラメータを調整してもよい。このようにして、制御装置３０は、対象の空調空間２１の空調に必要な電力を低下させる。
【００２８】
１．１．２  操作表示装置（表示システム）
操作表示装置４０は、図２に示すように、画像表示装置４１と、入力装置４２と、通信装置４３と、記憶装置４４と、処理装置４５と、を備える。なお、画像表示装置４１と、入力装置４２と、通信装置４３と、記憶装置４４と、処理装置４５とは、同一の筐体に収容され得る。画像表示装置４１は、液晶ディスプレイや有機ＥＬディスプレイなどの薄型のディスプレイ装置である。入力装置４２は、画像表示装置４１の表示面に設置されるタッチパッドである。つまり、画像表示装置４１と入力装置４２とはタッチパネルを構成する。通信装置４３は、制御装置３０と通信するための通信インタフェースである。通信装置４３と制御装置３０との通信方式は、無線方式であってもよいし、有線方式であってもよい。記憶装置４４は、入力装置４２により入力された制御情報を記憶するために用いられる。記憶装置４４は、ＲＯＭ（Read Only Memory）、ＲＡＭ（Random Access Memory）、ＥＥＰＲＯＭ（Electrically Erasable Programmable Read Only Memory）等である。
【００２９】
処理装置４５は、操作表示装置４０の全体的な制御、すなわち、画像表示装置４１、入力装置４２、通信装置４３、及び記憶装置４４を制御するように構成される。処理装置４５は、例えば、プログラムを実行するプロセッサを備えるデバイスを主なハードウェア構成として実現される。プロセッサを備えるデバイスは、半導体メモリを別に設けるＭＰＵ（Micro Processing Unit）のほか、半導体メモリと合わせて単一のパッケージに収納したマイクロコントローラ（Micro-Controller）でもよい。プログラムは、ＲＯＭに書き込まれた状態で提供されるほか、光学記録ディスクのような記録媒体あるいはフラッシュメモリを備える記録媒体であって、コンピュータ読取可能な記録媒体によって提供されてもよい。また、プログラムは、インターネット、移動体通信網などの電気通信回線を通して提供されてもよい。記録媒体あるいは電気通信回線により提供されるプログラムは、書換可能な不揮発性メモリ（例えば、ＥＥＰＲＯＭ）に格納されることが望ましい。
【００３０】
処理装置４５は、図２に示すように、画像表示装置４１を制御する表示制御部４５１を備える。表示制御部４５１は、空調システム１０を制御するための制御画面を画像表示装置４１に表示する。制御画面は、例えば、状態表示画面Ｐ１０（図３参照）と、温度設定画面Ｐ２０（図４参照）と、表示順変更画面Ｐ３０（図５参照）と、を含む。また、制御画面は、その他設定画面Ｐ４０（図６参照）と、セーブ設定選択画面Ｐ５０（図７参照）と、セーブ設定変更画面Ｐ６０（図８参照）と、期間設定画面Ｐ７０（図９参照）と、を含む。なお、図３〜図９において、符号及び当該符号の付随物（指示線や矢印等）は、制御画面の説明のために記載されており、制御画面自体に含まれているわけではない。
【００３１】
（１）状態表示画面
状態表示画面Ｐ１０は、空調システム１０の現在の状態を表示するための画面である。状態表示画面Ｐ１０は、図３に示すように、ラベルＬ１０と、基準温度変更領域Ｒ１０と、ボタンＢ１０と、を含む。
【００３２】
ラベルＬ１０は、空調システム１０の現在の運転状態を表示する。運転状態は、空調システム１０の運転モードが暖房運転であることを示す「暖房」、空調システム１０の運転モードが冷房運転であることを示す「冷房」、空調システム１０が運転を停止していることを示す「停止」などである。
【００３３】
基準温度変更領域Ｒ１０は、空調システム１０の基準温度を変更するための領域である。基準温度は、空調システム１０の動作の基準となる温度である。基準温度は、例えば、建物２０全体として達成しようとする温度である。そのため、基準温度は、必ずしも熱源装置１１の設定温度と一致するとは限らないが、熱源装置１１の設定温度は、空調システム１０の基準温度に応じて変更され得る。ここで、表示制御部４５１は、空調システム１０の基準温度の値（現在の値）を表示する。基準温度変更領域Ｒ１０は、フィールドＦ１０と、ラベルＬ１１，Ｌ１２と、ボタンＢ１１，Ｂ１２，Ｂ１３とを含む。フィールドＦ１０は、空調システム１０の基準温度の値を示す。ラベルＬ１１は、「基準温度」というテキストを表示し、フィールドＦ１０が空調システム１０の基準温度を表示していることを示す。ラベルＬ１２は、「℃」というテキストを表示し、基準温度の単位を示す。ボタンＢ１１，Ｂ１２は、基準温度を変更するためのボタンである。ボタンＢ１１は、基準温度を増加させるためのボタンであり、ボタンＢ１２は基準温度を減少させるためのボタンである。ボタンＢ１１が操作されると表示制御部４５１は基準温度（フィールドＦ１０に表示されている値）から所定値（例えば、０．５℃）だけ増加させた値を新たな基準温度に設定する。ボタンＢ１２が操作されると表示制御部４５１は基準温度（フィールドＦ１０に表示されている値）から所定値（例えば、０．５℃）だけ減少させた値を新たな基準温度に設定する。操作表示装置４０は、基準温度変更領域Ｒ１０により設定された基準温度を示す基準温度情報を通信装置４３を通じて制御装置３０に送信する。ボタンＢ１３は、温度設定画面Ｐ２０を呼び出すためのボタンである。ボタンＢ１３は、「部屋別調整」というテキストを表示する。ボタンＢ１３が選択されると、表示制御部４５１は、画像表示装置４１に表示する制御画面を状態表示画面Ｐ１０から温度設定画面Ｐ２０に切り替える。
【００３４】
ボタンＢ１０は、その他設定画面Ｐ４０を呼び出すためのボタンである。ボタンＢ１０は、「その他設定」というテキストを表示する。ボタンＢ１０が選択されると、表示制御部４５１は、画像表示装置４１に表示する制御画面を状態表示画面Ｐ１０からその他設定画面Ｐ４０に切り替える。
【００３５】
（２）温度設定画面
温度設定画面Ｐ２０は、複数の空調空間２１の目標温度を設定するための画面である。温度設定画面Ｐ２０は、図４に示すように、表示領域Ｒ２０と、操作領域Ｒ２１と、を含む。
【００３６】
表示領域Ｒ２０は、熱源装置１１の設定温度を示す基準温度の値を表示する領域である。表示領域Ｒ２０は、フィールドＦ２０と、ラベルＬ２０と、を含む。フィールドＦ２０は、空調システム１０の基準温度の値を示す。ラベルＬ２０は、「基準温度」というテキストを表示し、フィールドＦ２０が空調システム１０の基準温度を表示していることを示す。
【００３７】
操作領域Ｒ２１は、１又は２以上の目標温度変更領域Ｒ２２を含む。各目標温度変更領域Ｒ２２は、複数の空調空間２１から選択される一つの空調空間２１である対象空間の目標温度の基準温度に対する相対値を変更するための領域である。ただし、１又は２以上の目標温度変更領域Ｒ２２は、対象空間の目標温度自体を表示しない。また、１又は２以上の目標温度変更領域Ｒ２２は、相対値自体を表示しない。
【００３８】
操作領域Ｒ２１は、複数の空調空間２１についての設定（この場合、目標温度の設定）を個別に変更するための個別設定領域として機能する。本実施形態では、建物２０に６つの空調空間２１が設定されているため、これら６つの空調空間２１にそれぞれ対応する６つの目標温度変更領域Ｒ２２が作成され得る。操作領域Ｒ２１は、最大で４つの目標温度変更領域Ｒ２２（Ｒ２２１〜Ｒ２２４）を表示する。つまり、操作領域Ｒ２１は、６つの目標温度変更領域Ｒ２２の全てではなく、６つの目標温度変更領域Ｒ２２から選択される４つを一度に表示する。操作領域Ｒ２１に表示される４つの目標温度変更領域Ｒ２２は、６つの空調空間２１の表示順、つまり、６つの空調空間２１にそれぞれ割り当てられた表示番号Ｎ、に基づいて選択される。ここではＮは１以上Ｍ以下の整数、Ｍは空調空間２１の総数である。一度に表示される目標温度変更領域Ｒ２２の数がＬであれば、操作領域Ｒ２１は、表示番号がｎからｎ＋Ｌ−１のＬ個の空調空間２１に対応する目標温度変更領域Ｒ２２を表示する。ここで、ｎは１以上（Ｍ−Ｌ＋１）以下の整数である。本実施形態では、Ｍは６、Ｌは４であるから、ｎは１以上３以下の整数である。操作領域Ｒ２１は、目標温度変更領域Ｒ２２を、対応する空調空間２１の表示番号Ｎの昇順に、左側から右側へ並べて表示する。
【００３９】
例えば、６つの空調空間２１にはそれぞれ「リビング・ダイニング」、「和室」、「洋室」、「キッチン」、「玄関」、「寝室」という名称が割り当てられている。そして、「リビング・ダイニング」、「和室」、「洋室」、「キッチン」、「玄関」、「寝室」の６つの空調空間２１には、１〜６の表示番号が割り当てられている。この場合、初期状態では、ｎは１であり、操作領域Ｒ２１は、図４に示すように、表示番号１〜４の空調空間２１に対応する目標温度変更領域Ｒ２２を表示する。したがって、図４では、目標温度変更領域Ｒ２２１の対象空間は、「リビング・ダイニング」という名称が割り当てられた空調空間２１である。目標温度変更領域Ｒ２２２の対象空間は、「和室」という名称が割り当てられた空調空間２１である。目標温度変更領域Ｒ２２３の対象空間は、「洋室」という名称が割り当てられた空調空間２１である。目標温度変更領域Ｒ２２４の対象空間は、「キッチン」という名称が割り当てられた空調空間２１である。
【００４０】
温度設定画面Ｐ２０は、図４に示すように、さらに、ボタンＢ２５，Ｂ２６を含む。ボタンＢ２５，Ｂ２６は、操作領域Ｒ２１に表示されていない目標温度変更領域Ｒ２２を操作領域Ｒ２１に表示させるためのボタンである。ボタンＢ２５は、上記のｎを１だけ増加させるためのボタンであり、ボタンＢ２６は、ｎを１だけ減少させるためのボタンである。例えば、ボタンＢ２５の選択毎に、表示制御部４５１はｎを１だけ増加させる。また、ボタンＢ２６の選択毎に、表示制御部４５１はｎを１だけ減少させる。例えば、ｎが１であるときに、ボタンＢ２５が２回選択されると、ｎは３になる。その結果、操作領域Ｒ２１は、表示番号が３〜６の空調空間２１（「洋室」、「キッチン」、「玄関」、「寝室」）に対応する目標温度変更領域Ｒ２２１〜Ｒ２２４を表示する。一方、ｎが３であるときに、ボタンＢ２６が１回選択されると、ｎは２になる。その結果、操作領域Ｒ２１は、表示番号が２〜５の空調空間２１（「和室」、「洋室」、「キッチン」、「玄関」）に対応する目標温度変更領域Ｒ２２１〜Ｒ２２４を表示する。このように、ボタンＢ２５，Ｂ２６を操作することで、６個の空調空間２１のうちの所望の４個の空調空間２１の目標温度変更領域Ｒ２２を操作領域Ｒ２１に表示させることができる。
【００４１】
目標温度変更領域Ｒ２２は、図４に示すように、ラベルＬ２１，Ｌ２２と、グループボックスＧ２０と、を含む。ラベルＬ２１は、対象空間として選択された空調空間２１に割り当てられた名称を表示する。ラベルＬ２２は、対象空間に関してセーブ動作が行われている場合に表示される。例えば、図４では、ラベルＬ２２は、目標温度変更領域Ｒ２２１だけに表示されている。つまり、図４では、目標温度変更領域Ｒ２２１の対象空間ではセーブ動作が行われているが、目標温度変更領域Ｒ２２２，Ｒ２２３，Ｒ２２４１の対象空間ではセーブ動作が行われていない。
【００４２】
グループボックスＧ２０は、図４に示すように、複数（５個）のラジオボタンＢ２０〜Ｂ２４を含む。複数のラジオボタンＢ２０〜Ｂ２４は、互いに視覚的に区別可能に表示されている。例えば、ラジオボタンＢ２０は濃い赤色、ラジオボタンＢ２１は薄い赤色、ラジオボタンＢ２２は白色、ラジオボタンＢ２３は薄い青色、ラジオボタンＢ２４は濃い青色である。ラジオボタンＢ２０〜Ｂ２４には、対象空間の目標温度の基準温度に対する相対値が割り当てられている。つまり、操作領域Ｒ２１は、相対値自体を表示せずに、ラジオボタンＢ２０〜Ｂ２４によって相対値を暗示的に示している。したがって、温度設定画面Ｐ２０は、相対値自体を表示しない。なお、初期状態では、例えば、ラジオボタンＢ２２が選択される。
【００４３】
ラジオボタンＢ２０，Ｂ２１には正の相対値が割り当てられる。つまり、ラジオボタンＢ２０，Ｂ２１は、対象空間の目標温度を基準温度よりも高くするためのボタン（第１オブジェクト）である。また、ラジオボタンＢ２０にはラジオボタンＢ２１よりも大きい相対値が割り当てられる。したがって、ラジオボタンＢ２０は、ラジオボタンＢ２１よりも対象空間の目標温度を高くするためのボタンである。ラジオボタンＢ２２には、対象空間の目標温度の基準温度に対する相対値として０が割り当てられている。つまり、ラジオボタンＢ２２は、対象空間の目標温度を基準温度に一致させるためのボタンである。ラジオボタンＢ２３，Ｂ２４には負の相対値が割り当てられる。つまり、ラジオボタンＢ２３，Ｂ２４は、対象空間の目標温度を基準温度よりも低くするためのボタン（第２オブジェクト）である。また、ラジオボタンＢ２４にはラジオボタンＢ２３よりも絶対値が大きい相対値が割り当てられる。したがって、ラジオボタンＢ２４は、ラジオボタンＢ２３よりも対象空間の目標温度を低くするためのボタンである。
【００４４】
ラジオボタンＢ２０〜Ｂ２４のいずれかが選択されると、表示制御部４５１は、選択されたラジオボタンに対応する相対値と基準温度とに基づいて、対象空間の目標温度を計算する。操作表示装置４０は、操作領域Ｒ２１により設定された新たな目標温度を示す目標温度情報を通信装置４３を通じて制御装置３０に送信する。例えば、ラジオボタンＢ２０〜Ｂ２４には、相対値として、＋２、＋１、０、−１、−２が割り当てられる。相対値の単位は「℃」である。相対値の範囲は、基準温度に対して現実的に実現可能な温度を考慮して決定され得る。特に、相対値は、熱源装置１１の運転モードの切り替えを要しない範囲で決定され得る。
【００４５】
目標温度変更領域Ｒ２２の各々は、対象空間の目標温度を基準温度より高くするための第１オブジェクト（ラジオボタンＢ２０，Ｂ２１）と、対象空間の目標温度を基準温度より低くするための第２オブジェクト（ラジオボタンＢ２３，Ｂ２４）と、を含む。そして、第１オブジェクトと第２オブジェクトとは、視覚的に区別可能に表示される。また、目標温度変更領域Ｒ２２の各々は、対象空間の目標温度を基準温度に一致させるための第３オブジェクト（ラジオボタンＢ２２）を含む。そして、第３オブジェクトは、第１オブジェクトと第２オブジェクトとは、視覚的に区別可能に表示される。
【００４６】
目標温度変更領域Ｒ２２は、対象空間の目標温度の基準温度に対する現在の相対値を表す状態表示オブジェクトＴ２０を含む。状態表示オブジェクトＴ２０は、ラジオボタンＢ２０〜Ｂ２４のうち選択中のラジオボタンを示す。つまり、対象空間の目標温度の基準温度に対する現在の相対値は、選択中のラジオボタンに割り当てられた相対値に等しい。状態表示オブジェクトＴ２０は、選択中のラジオボタンを囲う長円の枠状である。例えば、図４の目標温度変更領域Ｒ２２１において、状態表示オブジェクトＴ２０がラジオボタンＢ２４を囲っている。したがって、目標温度変更領域Ｒ２２１では、状態表示オブジェクトＴ２０を確認することで、ラジオボタンＢ２４が選択されていることがわかる。表示制御部４５１は、複数の空調空間２１のそれぞれについて、いずれのラジオボタンＢ２０〜Ｂ２４が選択されたか（つまり、ユーザが選択した相対値を示す状態表示オブジェクトＴ２０の位置）を、運転モード毎に記憶する。言い換えれば、表示制御部４５１は、運転モード毎に、空調空間２１と状態表示オブジェクトＴ２０の位置（相対値）との対応表を記憶している。表示制御部４５１は、温度設定画面Ｐ２０を表示するにあたっては、現在の運転モードに対応する対応表に従って、各目標温度変更領域Ｒ２２の状態表示オブジェクトＴ２０の位置を決定する。なお、表示制御部４５１は、基準温度変更領域Ｒ１０によって基準温度が変更されても、対応表の内容を変更しない。つまり、対応表は、基準温度とは独立して設定されている。つまり、基準温度が変更されても、基準温度に対する各空調空間２１の目標温度の相対値は変更されない。
【００４７】
目標温度変更領域Ｒ２２では、図４に示すように、ラジオボタンＢ２０〜Ｂ２４は、操作領域Ｒ２１の所定方向に、この順番で一列に並んでいる。所定方向は、温度設定画面Ｐ２０に設定された第１座標軸（縦軸）Ｙに沿った方向である。ラジオボタンＢ２２は、相対値が０に対応するボタンであり、基準温度を表す基準温度オブジェクトを兼ねている。そして、状態表示オブジェクトＴ２０は、ラジオボタンＢ２０〜Ｂ２４のうち選択中のラジオボタンを表示する。したがって、操作領域Ｒ２１の所定方向（縦軸Ｙの方向）における基準温度オブジェクト（ラジオボタンＢ２２）と状態表示オブジェクトＴ２０との位置関係が現在の相対値を表している。つまり、目標温度変更領域Ｒ２２は、基準温度を表す基準温度オブジェクト（ラジオボタンＢ２２）を含む。目標温度変更領域Ｒ２２は、基準温度オブジェクト（ラジオボタンＢ２２）と状態表示オブジェクトＴ２０とを、操作領域Ｒ２１の所定方向における基準温度オブジェクトと状態表示オブジェクトＴ２０との位置関係が現在の相対値を表すように表示する。
【００４８】
４個の目標温度変更領域Ｒ２２１〜Ｒ２２４は、図４に示すように、配列方向に並べられる。配列方向は、操作領域Ｒ２１の所定方向（縦軸Ｙの方向）に交差する方向であり、図４では、温度設定画面Ｐ２０に設定された第２座標軸（横軸）Ｘに沿った方向である。そして、４個の目標温度変更領域Ｒ２２１〜Ｒ２２４の基準温度オブジェクト（ラジオボタンＢ２２）は、配列方向に沿って一列に並ぶ。これにより、４個の目標温度変更領域Ｒ２２１〜Ｒ２２４に対応する対象空間の目標温度同士の関係を容易に把握できる。
【００４９】
温度設定画面Ｐ２０は、図４に示すように、さらに、ラベルＬ２３，Ｌ２４を含む。ラベルＬ２３は、目標温度が基準温度よりも高いことを表示するために、４個の目標温度変更領域Ｒ２２１〜Ｒ２２４のラジオボタンＢ２０と配列方向に沿って一列に並ぶように配置される。ラベルＬ２３は、「高め」というテキストを表示する。ラベルＬ２４は、目標温度が基準温度よりも低いことを表示するために、４個の目標温度変更領域Ｒ２２１〜Ｒ２２４のラジオボタンＢ２４と配列方向に沿って一列に並ぶように配置される。ラベルＬ２４は、「低め」というテキストを表示する。
【００５０】
温度設定画面Ｐ２０は、図４に示すように、さらに、ボタンＢ２７，Ｂ２８を含む。ボタンＢ２７は、表示順変更画面Ｐ３０を呼び出すためのボタンである。ボタンＢ２７は、「表示順変更」というテキストを表示する。ボタンＢ２７が選択されると、表示制御部４５１は、画像表示装置４１に表示する制御画面を温度設定画面Ｐ２０から表示順変更画面Ｐ３０に切り替える。ボタンＢ２８は、状態表示画面Ｐ１０を呼び出すためのボタンである。ボタンＢ２８は、「戻る」というテキストを表示する。ボタンＢ２８が選択されると、表示制御部４５１は、画像表示装置４１に表示する制御画面を温度設定画面Ｐ２０から状態表示画面Ｐ１０に切り替える。
【００５１】
（３）表示順変更画面
表示順変更画面Ｐ３０は、温度設定画面Ｐ２０の操作領域Ｒ２１に表示される目標温度変更領域Ｒ２２の順番を変更するための画面である。表示順変更画面Ｐ３０は、図５に示すように、表示順変更領域Ｒ３０を含む。表示順変更領域Ｒ３０は、複数（図５では１５個）のグループＧ３０を含む。建物２０の空調空間２１の数は６つであるから、１５個のグループＧ３０のうち６個のグループＧ３０１〜Ｇ３０６が用いられ、残りの９個のグループＧ３０は使用されない。使用されないグループＧ３０は空欄になる。
【００５２】
各グループＧ３０は、ラベルＬ３０，Ｌ３１と、ボタンＢ３０，Ｂ３１と、を含む。ラベルＬ３０は、表示番号Ｎを表示する。ラベルＬ３１は、同じグループＧ３０のラベルＬ３０に表示番号Ｎが割り当てられている空調空間２１の名称を表示する。例えば、グループＧ３０１のラベルＬ３０には「１」が表示され、ラベルＬ３１には表示番号が１である空調空間２１の名称「リビング・ダイニング」が表示される。
【００５３】
ボタンＢ３０は、同じグループＧ３０のラベルＬ３０に表示される表示番号Ｎが割り当てられている空調空間２１の表示番号を１減らすためのボタンである。ボタンＢ３０が選択されると、表示制御部４５１は、選択されたボタンＢ３０に対応する空調空間２１の表示番号Ｎを１減らす。また、表示制御部４５１は、表示番号Ｎが、選択されたボタンＢ３０に対応する空調空間２１の表示番号Ｎより１小さい空調空間２１の表示番号Ｎを１増やす。例えば、グループＧ３０３のボタンＢ３０が選択されると、表示番号が「３」である空調空間２１（「洋室」）の表示番号が「２」に変更され、表示番号が「２」である空調空間２１（「和室」）の表示番号が「３」に変更される。なお、図５では、グループＧ３０１は表示番号が１（最小値）のグループＧ３０であるから、ボタンＢ３０が選択できないようになっている。
【００５４】
ボタンＢ３１は、同じグループＧ３０のラベルＬ３０に表示される表示番号Ｎが割り当てられている空調空間２１の表示番号を１増やすためのボタンである。ボタンＢ３１が選択されると、表示制御部４５１は、選択されたボタンＢ３１に対応する空調空間２１の表示番号Ｎを１増やす。また、表示制御部４５１は、表示番号Ｎが、選択されたボタンＢ３１に対応する空調空間２１の表示番号Ｎより１大きい空調空間２１の表示番号Ｎを１減らす。例えば、グループＧ３０３のボタンＢ３１が選択されると、表示番号が「３」である空調空間２１（「洋室」）の表示番号が「４」に変更され、表示番号が「４」である空調空間２１（「キッチン」）の表示番号が「３」に変更される。なお、図５では、グループＧ３０６は表示番号が６（最大値）のグループＧ３０であるから、ボタンＢ３１が選択できないようになっている。
【００５５】
表示順変更画面Ｐ３０は、図５に示すように、さらに、ボタンＢ３２，Ｂ３３を含む。ボタンＢ３２は、表示順変更領域Ｒ３０による表示順の変更を確定（反映）するためのボタンである。ボタンＢ３２は、「決定」というテキストを表示する。ボタンＢ３２が選択されると、表示制御部４５１は、空調空間２１の現在の表示順を、表示順変更領域Ｒ３０に入力された表示順に変更する。ボタンＢ３３は、温度設定画面Ｐ２０を呼び出すためのボタンである。ボタンＢ３３は、「戻る」というテキストを表示する。ボタンＢ３３が選択されると、表示制御部４５１は、画像表示装置４１に表示する制御画面を表示順変更画面Ｐ３０から温度設定画面Ｐ２０に切り替える。
【００５６】
（４）その他設定画面
その他設定画面Ｐ４０は、空調システム１０の様々な設定を行うための画面である。その他設定画面Ｐ４０は、図６に示すように、複数（本実施形態では１０個）の設定変更用のボタンＢ４０〜Ｂ４９を含む。
【００５７】
ボタンＢ４１は、セーブ時間を設定するためのボタンである。ボタンＢ４１は、「セーブ」というテキストを表示する。ボタンＢ４１が選択されると、表示制御部４５１は、画像表示装置４１に表示する制御画面を、その他設定画面Ｐ４０から、セーブ設定選択画面Ｐ５０に切り替える。
【００５８】
また、ボタンＢ４４は、空調システム１０の運転モードの変更のタイミングを設定するためのボタンである。ボタンＢ４４は、「冷房・暖房期間」というテキストを表示する。ボタンＢ４４が選択されると、表示制御部４５１は、画像表示装置４１に表示する制御画面を、その他設定画面Ｐ４０から、期間設定画面Ｐ７０に切り替える。
【００５９】
また、その他設定画面Ｐ４０は、図６に示すように、ボタンＢ４００を含む。ボタンＢ４００は、状態表示画面Ｐ１０を呼び出すためのボタンである。ボタンＢ４００は、「戻る」というテキストを表示する。ボタンＢ４００が選択されると、表示制御部４５１は、画像表示装置４１に表示する制御画面をその他設定画面Ｐ４０から状態表示画面Ｐ１０に切り替える。
【００６０】
（５）セーブ設定選択画面
セーブ設定選択画面Ｐ５０は、セーブ時間の設定を変更する空調空間２１を選択するための画面である。セーブ設定選択画面Ｐ５０は、図７に示すように、設定対象表示領域Ｒ５０を含む。設定対象表示領域Ｒ５０は、１又は２以上のグループＧ５０を含む。グループＧ５０は、複数の空調空間２１から選択される一つの空調空間２１である対象空間のセーブ時間の表示及び変更をするための領域である。本実施形態では、建物２０に６つの空調空間２１が設定されているから、これら６つの空調空間２１にそれぞれ対応する６つのグループＧ５０が作成され得る。設定対象表示領域Ｒ５０は、最大で４つのグループＧ５０を表示する。つまり、設定対象表示領域Ｒ５０は、６つのグループＧ５０の全てではなく、６つのグループＧ５０から選択される４つを一度に表示する。設定対象表示領域Ｒ５０に表示される４つのグループＧ５０は、操作領域Ｒ２１と同様に、６つの空調空間２１の表示順、つまり、６つの空調空間２１にそれぞれ割り当てられた表示番号Ｎ、に基づいて選択される。例えば、設定対象表示領域Ｒ５０は、表示番号がｎからｎ＋Ｌ−１のＬ個の空調空間２１に対応するグループＧ５０を表示する。本実施形態の場合、ｎの取り得る値は１、２、３のいずれかである。
【００６１】
各グループＧ５０は、ラベルＬ５０，Ｌ５１と、ボタンＢ５０と、を含む。ラベルＬ５０は、グループＧ５０に対応する空調空間２１の名称を表示する。ラベルＬ５１は、同じグループＧ５０に対応する空調空間２１に設定されている現在のセーブ時間の内容を表示する。ボタンＢ５０は、同じグループＧ５０に対応する空調空間２１のセーブ時間を変更するためのボタンである。ボタンＢ５０は、「変更」というテキストを表示する。ボタンＢ５０が選択されると、表示制御部４５１は、画像表示装置４１に表示する制御画面を、セーブ設定選択画面Ｐ５０から、選択されたボタンＢ５０に対応する空調空間２１用のセーブ設定変更画面Ｐ６０に切り替える。
【００６２】
セーブ設定選択画面Ｐ５０は、図７に示すように、さらに、ボタンＢ５１，Ｂ５２と、スライダＳ５０と、を含む。ボタンＢ５１，Ｂ５２と、スライダＳ５０とは、設定対象表示領域Ｒ５０に表示されていないグループＧ５０を設定対象表示領域Ｒ５０に表示させるためのオブジェクトである。上述したように、設定対象表示領域Ｒ５０は、表示番号がｎからｎ＋Ｌ−１のＬ個の空調空間２１に対応するグループＧ５０を表示する。ｎの初期値は１であり、初期状態では、設定対象表示領域Ｒ５０は、表示番号が１〜４の空調空間２１に対応するグループＧ５０を表示する。ボタンＢ５１は、ｎを１だけ増加させるためのボタンであり、ボタンＢ５２は、ｎを１だけ減少させるためのボタンである。スライダＳ５０は、ｎを１〜３の範囲で変化させるためのスライダである（ただし、ｎは整数である）。ボタンＢ５１，Ｂ５２と、スライダＳ５０とによって、設定対象表示領域Ｒ５０に表示されるグループＧ５０を変更できる。
【００６３】
セーブ設定選択画面Ｐ５０は、図７に示すように、さらに、ボタンＢ５３を含む。ボタンＢ５３は、その他設定画面Ｐ４０を呼び出すためのボタンである。ボタンＢ５３は、「戻る」というテキストを表示する。ボタンＢ５３が選択されると、表示制御部４５１は、画像表示装置４１に表示する制御画面を、セーブ設定選択画面Ｐ５０から、その他設定画面Ｐ４０に切り替える。
【００６４】
（６）セーブ設定変更画面
セーブ設定変更画面Ｐ６０は、セーブ時間の設定を変更するための画面である。セーブ設定変更画面Ｐ６０は、図８に示すように、ラベルＬ６０と、セーブ設定領域Ｒ６０と、を含む。ラベルＬ６０は、セーブ時間の設定の対象となっている空調空間２１に割り当てられた名称を表示する。セーブ設定領域Ｒ６０は、複数の空調空間２１についての設定（この場合、セーブ時間の設定）を個別に変更するための個別設定領域として機能する。セーブ設定領域Ｒ６０は、複数（本実施形態では２個）のグループＧ６０を含む。各グループＧ６０は、ラベルＬ６１，Ｌ６２，Ｌ６３，Ｌ６４と、グループボックスＧ６１と、フィールドＦ６０，Ｆ６１と、を含む。ラベルＬ６１は、セーブ時間の識別情報を示す。つまり、異なるセーブ時間を設定できる場合に、異なるセーブ時間を区別するために識別情報が設定される。例えば、図８では、「セーブ１」と「セーブ２」というテキストが識別情報として、２つのグループＧ６０のラベルＬ６１に表示される。グループボックスＧ６１は、複数（２個）のラジオボタンＢ６０，Ｂ６１を含む。ラジオボタンＢ６０は、対応するセーブ時間の設定を無効にするためのボタンである。ラジオボタンＢ６０は、「無効」というテキストを表示する。ラジオボタンＢ６１は、対応するセーブ時間の設定を有効にするためのボタンである。ラジオボタンＢ６１は、「有効」というテキストを表示する。フィールドＦ６０，Ｆ６１は、セーブ時間を入力するために用いられる。フィールドＦ６０は、セーブ時間の開始時刻を示す数値を入力可能なボックスであり、フィールドＦ６２は、セーブ時間の終了時刻を示す数値を入力可能なボックスである。フィールドＦ６０，Ｆ６１に入力可能な数値は、各々、０〜２３の整数値である。ラベルＬ６２は、フィールドＦ６０に入力される数値の単位を示しており、「時」というテキストを表示する。ラベルＬ６３は、フィールドＦ６１に入力される数値の単位を示しており、「時」というテキストを表示する。ラベルＬ６４は、フィールドＦ６０，Ｆ６１により決定されるセーブ時間についてのメッセージを表示する。
【００６５】
セーブ設定変更画面Ｐ６０は、図８に示すように、さらに、ボタンＢ６２，Ｂ６３を含む。ボタンＢ６２は、セーブ設定領域Ｒ６０に入力された内容（セーブ動作が有効か無効か、及び、セーブ時間）を確定（反映）するためのボタンである。ボタンＢ６２は、「決定」というテキストを表示する。ボタンＢ６２が選択されると、表示制御部４５１は、セーブ設定領域Ｒ６０に入力された内容に基づいて、セーブ時間情報を作成して、通信装置４３を通じて制御装置３０に送信する。ボタンＢ６３は、セーブ設定選択画面Ｐ５０を呼び出すためのボタンである。ボタンＢ６３は、「戻る」というテキストを表示する。ボタンＢ６３が選択されると、表示制御部４５１は、画像表示装置４１に表示する制御画面を、セーブ設定変更画面Ｐ６０から、セーブ設定選択画面Ｐ５０に切り替える。
【００６６】
（７）期間設定画面
期間設定画面Ｐ７０は、空調システム１０の運転モードの変更のタイミングを設定するための画面である。本実施形態では、変更のタイミングは、運転モードの開始日で表される。期間設定画面Ｐ７０は、図９に示すように、運転モード設定領域Ｒ７０を含む。運転モード設定領域Ｒ７０は、熱源装置１１が熱源装置１１の複数の運転モードから選択される特定の運転モードで動作する期間を設定するための領域である。本実施形態において、複数の運転モードは、冷房モードと暖房モードとを含む。そのため、運転モード設定領域Ｒ７０は、冷房モードと暖房モードとの２つの運転モードに対応する２個のグループＧ７０（Ｇ７０１，Ｇ７０２）を含む。各グループＧ７０は、ラベルＬ７１，Ｌ７２，Ｌ７３と、フィールドＦ７０，Ｆ７１と、を含む。ラベルＬ７０は、運転モードの識別情報を示す。例えば、図９では、グループＧ７０１のラベルＬ７０は、冷房モードの識別情報として、「冷房」というテキストを表示する。また、グループＧ７０２のラベルＬ７０は、暖房モードの識別情報として、「暖房」というテキストを表示する。フィールドＦ７０，Ｆ７１は、対応する運転モードの開始日を入力するために用いられる。フィールドＦ７０は、開始日の月を示す数値を入力可能なボックスであり、フィールドＦ７１は、開始日の日を示す数値を入力可能なボックスである。フィールドＦ７０に入力可能な数値は、１〜１２の整数値である。フィールドＦ７１に入力可能な数値は、１〜３１の整数値である。ただし、フィールドＦ７１に入力可能な数値は、フィールドＦ７０に入力された値によって、さらに制限され得る。例えば、フィールドＦ７０に「１１」が入力された場合、フィールドＦ７１は「３１」の入力を受け付けないようにしてもよい。ラベルＬ７１は、フィールドＦ７０に入力される数値の単位を示しており、「月」というテキストを表示する。ラベルＬ７２は、フィールドＦ７１に入力される数値の単位を示しており、「日」というテキストを表示する。ラベルＬ７３は、対応する運転モードに切り替えることを意味するメッセージを表示する。
【００６７】
期間設定画面Ｐ７０は、図９に示すように、さらに、ボタンＢ７０，Ｂ７１を含む。ボタンＢ７０は、運転モード設定領域Ｒ７０に入力された運転モードの期間（開始日）を確定（反映）するためのボタンである。ボタンＢ７０は、「決定」というテキストを表示する。ボタンＢ７０が選択されると、表示制御部４５１は、運転モード設定領域Ｒ７０に入力された運転モードの期間に基づいて、運転モード情報を生成して、通信装置４３を通じて制御装置３０に送信する。ボタンＢ７１は、その他設定画面Ｐ４０を呼び出すためのボタンである。ボタンＢ７１は、「戻る」というテキストを表示する。ボタンＢ７１が選択されると、表示制御部４５１は、画像表示装置４１に表示する制御画面を期間設定画面Ｐ７０からその他設定画面Ｐ４０に切り替える。
【００６８】
１．２  動作
次に、表示システム（操作表示装置）４０の動作について図３〜図９を参照して簡単に説明する。
【００６９】
（１）基準温度の変更
操作表示装置４０の表示制御部４５１は、初期の制御画面として、図３に示す状態表示画面Ｐ１０を、画像表示装置４１に表示する。ユーザは、状態表示画面Ｐ１０の基準温度変更領域Ｒ１０を見ることで、空調システム１０の基準温度を知ることができる。また、ユーザは、基準温度変更領域Ｒ１０のボタンＢ１１，Ｂ１２により、基準温度を変更できる。ユーザは基準温度を変更することで、複数の空調空間２１の全体の温度を一括して変更できる。
【００７０】
（２）目標温度の変更
例えば、「寝室」の空調空間２１の目標温度を変更したい場合、ユーザは、状態表示画面Ｐ１０のボタンＢ１３を選択する。これにより、表示制御部４５１は、図４に示す温度設定画面Ｐ２０を画像表示装置４１に表示する。図４の温度設定画面Ｐ２０では、「寝室」の空調空間２１に対応する目標温度変更領域Ｒ２２が操作領域Ｒ２１に表示されていない。そのため、ユーザは、ボタンＢ２５，Ｂ２６を用いて、「寝室」の空調空間２１の目標温度変更領域Ｒ２２を操作領域Ｒ２１に表示させる。この後に、ユーザは、「寝室」の空調空間２１の操作領域Ｒ２１のラジオボタンＢ２０〜Ｂ２４から所望のラジオボタンを選択することで、「寝室」の空調空間２１の目標温度を設定できる。ユーザは、表示領域Ｒ２０により基準温度を知ることができ、基準温度を参考にして、「寝室」の空調空間２１の目標温度を設定できる。
【００７１】
温度設定画面Ｐ２０では、操作領域Ｒ２１の各目標温度変更領域Ｒ２２は、基準温度オブジェクト（ラジオボタンＢ２２）を含む。そのため、ユーザは、基準温度オブジェクト（ラジオボタンＢ２２）を確認することにより現在の相対値（現在の目標温度）を把握できる。特に、目標温度変更領域Ｒ２２は、基準温度オブジェクトと状態表示オブジェクトＴ２０とを、操作領域Ｒ２１の所定方向（縦軸Ｙに沿った方向）における基準温度オブジェクトと状態表示オブジェクトＴ２０との位置関係が現在の相対値を表すように表示する。そのため、ユーザは、基準温度オブジェクト（ラジオボタンＢ２２）と状態表示オブジェクトＴ２０との位置関係から、現在の相対値を容易に把握できる。特に、目標温度変更領域Ｒ２２１〜Ｒ２２４のラジオボタンＢ２２が、基準温度を示す表示領域Ｒ２０のフィールドＦ２０と一直線上に並んでいる。そのため、ユーザは、ラジオボタンＢ２２が基準温度オブジェクトであることを容易に把握できる。
【００７２】
また、温度設定画面Ｐ２０は、「高め」というテキストを表示するラベルＬ２３を含んでおり、ユーザは、ラジオボタンＢ２０，Ｂ２１を選択すれば、空調空間２１の目標温度を基準温度より高くできることを容易に把握できる。また、ラジオボタンＢ２０がラジオボタンＢ２１よりもラベルＬ２３に近いことから、ラジオボタンＢ２０を選択すれば、ラジオボタンＢ２１を選択したときよりも、目標温度が高くなることをユーザは容易に把握できる。また、温度設定画面Ｐ２０は、「低め」というテキストを表示するラベルＬ２４を含んでおり、ユーザは、ラジオボタンＢ２３，Ｂ２４を選択すれば、空調空間２１の目標温度を基準温度より低くできることをユーザは容易に把握できる。また、ラジオボタンＢ２４がラジオボタンＢ２３よりもラベルＬ２４に近いことから、ラジオボタンＢ２４を選択すれば、ラジオボタンＢ２３を選択したときよりも、目標温度が低くなることをユーザは容易に把握できる。
【００７３】
また、ラジオボタンＢ２０，Ｂ２１は、対象空間の目標温度を基準温度より高くするための第１オブジェクトであり、ラジオボタンＢ２３，Ｂ２４は、対象空間の目標温度を基準温度より低くするための第２オブジェクトである。そして、ラジオボタンＢ２０，Ｂ２１，Ｂ２３，Ｂ２４は、視覚的に区別可能に表示されている。そのため、ユーザは、対象空間の目標温度を基準温度より高くしようとして、第２オブジェクトであるラジオボタンＢ２３，Ｂ２４を選択してしまう可能性を低減できる。したがって、ユーザによる目標温度の設定の誤操作が発生する可能性を低減できる。
【００７４】
また、温度設定画面Ｐ２０において、操作領域Ｒ２１では、４個の目標温度変更領域Ｒ２２１〜Ｒ２２４の基準温度オブジェクト（ラジオボタンＢ２２）は、配列方向に沿って一列に並ぶ。つまり、複数の目標温度変更領域Ｒ２２において、基準温度オブジェクト（ラジオボタンＢ２２）の位置が揃っている。そのため、ユーザは、異なる目標温度変更領域Ｒ２２の状態表示オブジェクト（Ｔ２０）同士の位置関係を、いずれかの基準温度オブジェクト（ラジオボタンＢ２２）を基準にして判断できる。これにより、複数の目標温度変更領域Ｒ２２に対応する対象空間の現在の目標温度（現在の相対値）同士の関係をユーザは容易に把握できる。
【００７５】
温度設定画面Ｐ２０において、ユーザによってラジオボタンＢ２０〜Ｂ２４のいずれかが選択されると、表示制御部４５１は、選択されたラジオボタンに対応する相対値と基準温度とに基づいて、対象空間の目標温度を計算する。操作表示装置４０は、操作領域Ｒ２１により設定された新たな目標温度を示す目標温度情報を通信装置４３を通じて制御装置３０に送信する。
【００７６】
このように、温度設定画面Ｐ２０によれば、ユーザは、複数の目標温度変更領域Ｒ２２の各々について、複数のラジオボタンＢ２０〜Ｂ２４から所望のラジオボタンを選択することによって、基準温度に対する目標温度の相対値を決定できる。そのため、空調空間２１ごとの目標温度の設定が可能になる。また、温度設定画面Ｐ２０は、複数のラジオボタンＢ２０〜Ｂ２４に割り当てられた相対値自体を表示しない。そのため、ユーザは、目標温度の値自体を知ることがない。空調システム１０は、ユーザが温度設定画面Ｐ２０で設定した目標温度に各空調空間２１の温度が近付くように、熱源装置１１からの熱エネルギーを複数の空調空間２１に分配する。しかし、空調システム１０では、必ずしも空調空間２１の温度が目標温度に一致することは限らない。温度設定画面Ｐ２０は、目標温度自体を表示せず、ラジオボタンＢ２０〜Ｂ２４によって、基準温度からの相対値を暗示的に示すだけである。そのため、空調空間２１の温度が目標温度に一致しない場合でも、空調空間２１の目標温度と実際の温度との不一致に対するユーザの不満を和らげることが期待できる。このように、本実施形態によれば、温度設定画面Ｐ２０を表示することにより、空調空間２１ごとの目標温度の設定を可能にしながらも、空調空間２１の目標温度と実際の温度との不一致に対するユーザの不満を和らげることが期待できる。さらに、温度設定画面Ｐ２０は、ユーザに、相対値自体も表示しないから、空調空間２１の目標温度と実際の温度との不一致に対するユーザの不満をさらに和らげることが期待できる。
【００７７】
ところで、空調空間２１は、近接する空調空間２１の実際の温度の影響を受けやすい。そのため、近接する空調空間２１の実際の温度の差が大きくなりすぎると、これら空調空間２１の実際の温度を目標温度に一致させることが困難になりやすい。しかし、温度設定画面Ｐ２０では、空調システム１０の基準温度に対して選択可能な相対値が予め定められている。そのため、空調空間２１間の目標温度の差が予め設定された範囲に収まる。これによって空調空間２１の間の実際の温度差が大きくなりすぎることが抑制される。そのため、近接する空調空間２１の実際の温度差による影響を低減でき、空調空間２１の実際の温度を目標温度に一致させやすくなる。
【００７８】
また、表示制御部４５１は、温度設定画面Ｐ２０を表示するにあたっては、現在の運転モードに対応する対応表に従って、各目標温度変更領域Ｒ２２の状態表示オブジェクトＴ２０の位置を決定する。そのため、運転モードが切り替えられても、複数の空調空間２１の目標温度は、以前にユーザによって設定された目標温度に設定される。つまり、運転モードが切り替えられても、ユーザの好みを空調空間２１の目標温度に反映できる。したがって、ユーザにとって、快適な空調が行える。
【００７９】
（３）空調空間の表示順の変更
温度設定画面Ｐ２０において、空調空間２１（目標温度変更領域Ｒ２２）の表示順を変更したい場合は、ユーザは、ボタンＢ２７を選択する。これにより、表示制御部４５１は、表示順変更画面Ｐ３０を画像表示装置４１表示する。表示順変更画面Ｐ３０において、ユーザは、表示順変更領域Ｒ３０の各グループＧ３０のボタンＢ３０，Ｂ３１を適宜選択することで、操作領域Ｒ２１に表示される目標温度変更領域Ｒ２２の順番を所望の順番に変更できる。そして、ユーザがボタンＢ３２を選択すると、表示制御部４５１は、空調空間２１の現在の表示順を、表示順変更領域Ｒ３０に入力された表示順に変更する。
【００８０】
（４）セーブ時間の変更
例えば、「寝室」の空調空間２１のセーブ時間を変更したい場合、ユーザは、状態表示画面Ｐ１０のボタンＢ１０を選択する。これにより、表示制御部４５１は、図６に示すその他設定画面Ｐ４０を画像表示装置４１に表示する。さらに、ユーザは、その他設定画面Ｐ４０のボタンＢ４１を選択する。これにより、表示制御部４５１は、図７に示すセーブ設定選択画面Ｐ５０を画像表示装置４１に表示する。セーブ設定選択画面Ｐ５０において、ユーザは、ボタンＢ５１，Ｂ５２及びスライダＳ５０等を用いて、「寝室」の空調空間２１のグループＧ５０を設定対象表示領域Ｒ５０に表示させる。この後に、ユーザは、「寝室」の空調空間２１のグループＧ５０のボタンＢ５０を選択する。これにより、表示制御部４５１は、図８に示すセーブ設定変更画面Ｐ６０を画像表示装置４１に表示する。セーブ設定変更画面Ｐ６０において、ユーザは、セーブ設定領域Ｒ６０の各グループＧ６０のラジオボタンＢ６０，Ｂ６１及びフィールドＦ６２，Ｆ６３により、セーブ動作を有効にするか無効にするかを設定でき、また、セーブ時間を設定できる。そして、ユーザがボタンＢ６２を選択すると、表示制御部４５１は、セーブ設定領域Ｒ６０に入力された内容に基づいて、セーブ時間情報を作成して、通信装置４３を通じて制御装置３０に送信する。
【００８１】
（５）運転モードの変更のタイミングの変更
例えば、空調システム１０の運転モードの変更のタイミングを変更したい場合、ユーザは、その他設定画面Ｐ４０において、ボタンＢ４４を選択する。これにより、表示制御部４５１は、図９に示す期間設定画面Ｐ７０を画像表示装置４１に表示する。期間設定画面Ｐ７０において、ユーザは、運転モード設定領域Ｒ７０の各グループＧ７０のフィールドＦ７０，Ｆ７１により、運転モードの開始日を入力することにより、運転モードの変更のタイミングを変更できる。そして、ユーザがボタンＢ７０を選択すると、表示制御部４５１は、運転モード設定領域Ｒ７０に入力された運転モードの期間に基づいて、運転モード情報を生成して、通信装置４３を通じて制御装置３０に送信する。したがって、ユーザは、熱源装置１１が特定の運転モードで動作する期間を自由に設定できる。
【００８２】
１．３  まとめ
以上述べた本実施形態の表示システム（操作表示装置４０）は、建物２０に設置され熱源装置１１からの熱エネルギーを建物２０の複数の空調空間２１に配分する空調システム１０を制御するための制御画面を、画像表示装置４１に表示する。制御画面は、複数の空調空間２１の目標温度を設定する温度設定画面Ｐ２０を含む。温度設定画面Ｐ２０は、表示領域Ｒ２０と、操作領域Ｒ２１と、を含む。表示領域Ｒ２０は、空調システム１０の基準温度の値を表示する。操作領域Ｒ２１は、複数の空調空間２１から選択される一つの空調空間２１である対象空間の目標温度自体を表示せずに当該目標温度の基準温度に対する相対値を変更するための１又は２以上の目標温度変更領域Ｒ２２を含む。そのため、表示システムによれば、空調空間２１ごとの目標温度の設定を可能にしながらも、空調空間２１の目標温度と実際の温度との不一致に対するユーザの不満を和らげることができる。
【００８３】
上記の本実施形態の表示システム４０は、例えば、コンピュータシステムが表示プログラムを実行することによって実現され得る。言い換えれば、表示プログラムは、コンピュータシステムにより実行されると、コンピュータシステムを本実施形態の表示システム４０として機能させる。つまり、コンピュータシステムは、建物２０に設置され熱源装置１１からの熱エネルギーを建物２０の複数の空調空間２１に配分する空調システム１０を制御するための制御画面を、画像表示装置４１に表示する。制御画面は、複数の空調空間２１の目標温度を設定する温度設定画面Ｐ２０を含む。温度設定画面Ｐ２０は、表示領域Ｒ２０と、操作領域Ｒ２１と、を含む。表示領域Ｒ２０は、空調システム１０の基準温度の値を表示する。操作領域Ｒ２１は、複数の空調空間２１から選択される一つの空調空間２１である対象空間の目標温度自体を表示せずに当該目標温度の基準温度に対する相対値を変更するための１又は２以上の目標温度変更領域Ｒ２２を含む。この表示プログラムによれば、表示システムと同様に、空調空間２１ごとの目標温度の設定を可能にしながらも、空調空間２１の目標温度と実際の温度との不一致に対するユーザの不満を和らげることができる。なお、このような表示プログラムは、例えば、インターネット等の電気通信回線を通じて、又はメモリカード等の記録媒体に記録されてコンピュータシステムに提供されてもよいし、コンピュータシステムのメモリに予め記録されていてもよい。
【００８４】
言い換えれば、コンピュータシステムが、表示プログラムを実行することによって、次の表示方法を実行する。すなわち、表示方法は、建物２０に設置され熱源装置１１からの熱エネルギーを建物２０の複数の空調空間２１に配分する空調システム１０を制御するための制御画面を、画像表示装置４１に表示する。制御画面は、複数の空調空間２１の目標温度を設定する温度設定画面Ｐ２０を含む。温度設定画面Ｐ２０は、表示領域Ｒ２０と、操作領域Ｒ２１と、を含む。表示領域Ｒ２０は、空調システム１０の基準温度の値を表示する。操作領域Ｒ２１は、複数の空調空間２１から選択される一つの空調空間２１である対象空間の目標温度自体を表示せずに当該目標温度の基準温度に対する相対値を変更するための１又は２以上の目標温度変更領域Ｒ２２を含む。この表示方法によれば、表示システムと同様に、空調空間２１ごとの目標温度の設定を可能にしながらも、空調空間２１の目標温度と実際の温度との不一致に対するユーザの不満を和らげることができる。
【００８５】
２．変形例
以上説明した上記実施形態は、本発明の様々な実施形態の一つに過ぎない。また、上記実施形態は、本発明の目的を達成できれば、設計等に応じて種々の変更が可能である。以下に、上記実施形態の変形例を列挙する。
【００８６】
例えば、上記実施形態では、操作表示装置４０が表示システムとして機能している。変形例では、表示システムは、少なくとも、表示制御部４５１を備えていればよい。つまり、表示システムは、表示制御部４５１として機能するコンピュータシステムにより実現され得る。つまり、表示システムが操作表示装置４０で構成されることは必須ではない。また、コンピュータシステムは、単一のコンピュータにより構成されてもよいし、複数のコンピュータで構成されるシステムであってもよい。例えば、表示システムは、複数のコンピュータの少なくとも１以上によって構成されてもよい。複数のコンピュータが表示システム（表示制御部４５１）の機能を分担してもよい。また、表示システムの少なくとも一部の機能は、例えば、クラウド（クラウドコンピューティング）によって実現されてもよい。ここで使用されるコンピュータは、専用の装置である必要はなく、スマートフォン、タブレットコンピュータ、パーソナルコンピュータなどであってもよい。
【００８７】
変形例では、状態表示画面Ｐ１０の基準温度変更領域Ｒ１０は、ボタンＢ１３を含んでいなくてもよい。ボタンＢ１３は、状態表示画面Ｐ１０のどこかに配置されていればよい。
【００８８】
変形例では、温度設定画面Ｐ２０は、少なくとも、表示領域Ｒ２０と操作領域Ｒ２１とを含んでいればよい。一方で、温度設定画面Ｐ２０は、空調システム１０の基準温度を変更するための基準温度変更領域を含んでいてもよい。つまり、表示制御部４５１は、基準温度の変更と目標温度の変更とを同じ画面で行えるようにしてもよい。
【００８９】
例えば、変形例では、空調空間２１の表示順は、自動的に設定されてもよい。例えば、表示順は、目標温度の変更の頻度が高い順に設定されてもよい。これにより、温度設定画面Ｐ２０のユーザビリティが向上し得る。なお、操作領域Ｒ２１に表示される目標温度変更領域Ｒ２２の数は特に限定されない。例えば、操作領域Ｒ２１は、１つの目標温度変更領域Ｒ２２だけを表示してもよいし、全ての目標温度変更領域Ｒ２２を表示してもよい。
【００９０】
上記実施形態では、操作領域Ｒ２１は、複数の空調空間２１についての設定（この場合、目標温度の設定）を個別に変更するための個別設定領域として機能する。このような個別設定領域によれば、複数の空調空間２１についての設定を個別に行えるから、ユーザの好みに応じて複数の空調空間２１の設定（この場合、目標温度の設定）を行える。また、操作領域Ｒ２１は、複数の空調空間２１の全ての目標温度を一括して変更するための目標温度変更領域Ｒ２２を含んでもよい。この目標温度変更領域Ｒ２２は、複数の空調空間２１についての設定（この場合、目標温度の設定）を一括して変更するための一括設定領域として機能する。このような一括設定領域によれば、複数の空調空間２１についての設定を一括して行えるから、空調空間２１の設定作業をユーザが容易に行える。セーブ設定変更画面Ｐ６０のセーブ設定領域Ｒ６０は、複数の空調空間２１についての設定（この場合、セーブ時間の設定）を個別に変更するための個別設定領域として機能する。このような個別設定領域によれば、複数の空調空間２１についての設定を個別に行えるから、ユーザの好みに応じて複数の空調空間２１の設定（この場合、セーブ時間の設定）を行える。一方、セーブ設定変更画面Ｐ６０は、複数の空調空間２１の全てのセーブ時間を一括して変更するための一括設定領域を含んでいてもよい。このような一括設定領域によれば、複数の空調空間２１についての設定を一括して行えるから、空調空間２１の設定作業をユーザが容易に行える。なお、複数の空調空間２１の設定は、目標温度の設定と、セーブ時間の設定とに限定されず、様々なパラメータの設定を含むことができる。
【００９１】
上記実施形態では、熱源装置１１の運転モードは、冷房モードと暖房モードとであるが、運転モードは、加湿モードや、除湿モード、空気清浄モードなど様々なモードを含み得る。上記実施形態では、熱源装置１１は、室内機１１１と室外機１１２とを備えるヒートポンプ式のエアコンである。つまり、熱源装置１１は、１台の熱源機で構成されている。しかしながら、変形例では、熱源装置１１は、複数台の熱源機で構成されていてもよい。例えば、建物２０が比較的大きい場合には、１台の熱源機では能力が不足することがある。このような場合には、熱源装置１１を複数の熱源機で構成すればよい。また、熱源装置は、必ずしもヒートポンプ式である必要はない。熱源機は、温水あるいは冷水を複数のファンコイルユニットに通す構成などであってもよい。また、暖房のみを行う場合、熱源機は、スチームあるいは温水をラジエータに通す構成であってもよい。なお、空調システム１０の搬送ファン１３の台数、ダンパ１４及び吹出口１５の個数、温度センサ１８の個数などは一例であり、適宜に変更される。また、上記実施形態の空調システム１０は、いわゆる、全館空調システムであるが、空調システム１０は必ずしも全館空調システムである必要はない。空調システム１０では、建物２０の特定の部屋だけを空調空間として設定されてもよい。
【００９２】
３．態様
以上述べた実施形態及び変形例から明らかなように、第１の態様の表示方法は、制御画面を、画像表示装置（４１）に表示する。前記制御画面は、建物（２０）に設置され熱源装置（１１）からの熱エネルギーを前記建物（２０）の複数の空調空間（２１）に配分する空調システム（１０）を制御するための画面である。前記制御画面は、前記複数の空調空間（２１）の目標温度を設定する温度設定画面（Ｐ２０）を含む。前記温度設定画面（Ｐ２０）は、表示領域（Ｒ２０）と、操作領域（Ｒ２１）とを含む。前記表示領域（Ｒ２０）は、前記空調システム（１０）の基準温度の値を表示する。前記操作領域（Ｒ２１）は、前記複数の空調空間（２１）から選択される一つの空調空間（２１）である対象空間の目標温度自体を表示せずに当該目標温度の前記基準温度に対する相対値を変更するための１又は２以上の目標温度変更領域（Ｒ２２）を含む。第１の態様によれば、空調空間（２１）ごとの目標温度の設定を可能にしながらも、空調空間（２１）の目標温度と実際の温度との不一致に対するユーザの不満を和らげることができる。
【００９３】
第２の態様の表示方法は、第１の態様との組み合わせにより実現され得る。第２の態様では、前記１又は２以上の目標温度変更領域（Ｒ２２）は、前記相対値自体を表示しない。第２の態様によれば、空調空間（２１）の目標温度と実際の温度との不一致に対するユーザの不満をさらに和らげることが期待できる。
【００９４】
第３の態様の表示方法は、第１又は第２の態様との組み合わせにより実現され得る。第３の態様では、前記１又は２以上の目標温度変更領域（Ｒ２２）の各々は、第１オブジェクト（Ｂ２０，Ｂ２１）と、第２オブジェクト（Ｂ２３，Ｂ２４）と、を含む。前記第１オブジェクト（Ｂ２０，Ｂ２１）は、前記対象空間の目標温度を前記基準温度より高くするためのオブジェクトである。前記第２オブジェクト（Ｂ２３，Ｂ２４）は、前記対象空間の目標温度を前記基準温度より低くするためのオブジェクトである。前記第１オブジェクト（Ｂ２０，Ｂ２１）と前記第２オブジェクト（Ｂ２３，Ｂ２４）とは、視覚的に区別可能に表示される。第３の態様によれば、ユーザによる目標温度の設定の誤操作が発生する可能性を低減できる。
【００９５】
第４の態様の表示方法は、第１〜第３の態様のいずれか一つとの組み合わせにより実現され得る。第４の態様では、前記１又は２以上の目標温度変更領域（Ｒ２２）の各々は、前記対象空間の目標温度の前記基準温度に対する現在の相対値を表す状態表示オブジェクト（Ｔ２０）を含む。第４の態様によれば、ユーザは、状態表示オブジェクト（Ｔ２０）により現在の相対値（現在の目標温度）を把握できる。
【００９６】
第５の態様の表示方法は、第４の態様との組み合わせにより実現され得る。第５の態様では、前記１又は２以上の目標温度変更領域（Ｒ２２）の各々は、前記基準温度を表す基準温度オブジェクト（Ｂ２２）を含む。前記基準温度オブジェクト（Ｂ２２）と前記状態表示オブジェクト（Ｔ２０）とを、前記操作領域（Ｒ２１）の所定方向における前記基準温度オブジェクト（Ｂ２２）と前記状態表示オブジェクト（Ｔ２０）との位置関係が前記現在の相対値を表すように表示する。第５の態様によれば、ユーザは、基準温度オブジェクト（Ｂ２２）と状態表示オブジェクト（Ｔ２０）との位置関係から、現在の相対値を容易に把握できる。
【００９７】
第６の態様の表示方法は、第５の態様との組み合わせにより実現され得る。第６の態様では、前記操作領域（Ｒ２１）は、前記２以上の目標温度変更領域（Ｒ２２）を含む。前記２以上の目標温度変更領域（Ｒ２２）は、前記所定方向に交差する配列方向に並ぶ。前記２以上の目標温度変更領域（Ｒ２２）の前記基準温度オブジェクト（Ｂ２２）は、前記配列方向に沿って一列に並ぶ。第６の態様によれば、複数の目標温度変更領域Ｒ２２に対応する対象空間の現在の目標温度（現在の相対値）同士の関係をユーザは容易に把握できる。
【００９８】
第７の態様の表示方法は、第１〜第６の態様のいずれか一つとの組み合わせにより実現され得る。第７の態様は、さらに、前記基準温度を変更するための基準温度変更領域（Ｒ１０）を表示する。第７の態様によれば、ユーザは基準温度を変更することで、複数の空調空間（２１）の全体の温度を一括して変更できる。
【００９９】
第８の態様の表示方法は、第１〜第７の態様のいずれか一つとの組み合わせにより実現され得る。第８の態様は、さらに、前記複数の空調空間（２１）についての設定を一括して変更するための一括設定領域（Ｒ２１）を表示する。第８の態様によれば、空調空間（２１）の設定作業をユーザが容易に行える。
【０１００】
第９の態様の表示方法は、第１〜第８の態様のいずれか一つとの組み合わせにより実現され得る。第９の態様は、さらに、前記複数の空調空間（２１）についての設定を個別に変更するための個別設定領域（Ｒ２１）を表示する。第９の態様によれば、ユーザの好みに応じて複数の空調空間（２１）の設定を行える。
【０１０１】
第１０の態様の表示方法は、第１〜第９の態様のいずれか一つとの組み合わせにより実現され得る。第１０の態様では、前記熱源装置（１１）が前記熱源装置（１１）の複数の運転モードから選択される特定の運転モードで動作する期間を設定するための運転モード設定領域（Ｒ７０）を表示する。第１０の態様によれば、ユーザは、熱源装置（１１）が特定の運転モードで動作する期間を自由に設定できる。
【０１０２】
第１１の態様の表示プログラムは、コンピュータシステムにより実行されると、前記コンピュータシステムが、制御画面を、画像表示装置（４１）に表示する。前記制御画面は、建物（２０）に設置され熱源装置（１１）からの熱エネルギーを前記建物（２０）の複数の空調空間（２１）に配分する空調システム（１０）を制御するための画面である。前記制御画面は、前記複数の空調空間（２１）の目標温度を設定する温度設定画面（Ｐ２０）を含む。前記温度設定画面（Ｐ２０）は、表示領域（Ｒ２０）と、操作領域（Ｒ２１）とを含む。前記表示領域（Ｒ２０）は、前記空調システム（１０）の基準温度の値を表示する。前記操作領域（Ｒ２１）は、前記複数の空調空間（２１）から選択される一つの空調空間（２１）である対象空間の目標温度自体を表示せずに当該目標温度の前記基準温度に対する相対値を変更するための１又は２以上の目標温度変更領域（Ｒ２２）を含む。第１１の態様によれば、空調空間（２１）ごとの目標温度の設定を可能にしながらも、空調空間（２１）の目標温度と実際の温度との不一致に対するユーザの不満を和らげることができる。
【０１０３】
第１２の態様の表示システム（４０）は、制御画面を、画像表示装置（４１）に表示する表示制御部（４５１）を備える。前記制御画面は、建物（２０）に設置され熱源装置（１１）からの熱エネルギーを前記建物（２０）の複数の空調空間（２１）に配分する空調システム（１０）を制御するための画面である。前記制御画面は、前記複数の空調空間（２１）の目標温度を設定する温度設定画面（Ｐ２０）を含む。前記温度設定画面（Ｐ２０）は、表示領域（Ｒ２０）と、操作領域（Ｒ２１）とを含む。前記表示領域（Ｒ２０）は、前記空調システム（１０）の基準温度の値を表示する。前記操作領域（Ｒ２１）は、前記複数の空調空間（２１）から選択される一つの空調空間（２１）である対象空間の目標温度自体を表示せずに当該目標温度の前記基準温度に対する相対値を変更するための１又は２以上の目標温度変更領域（Ｒ２２）を含む。第１２の態様によれば、空調空間（２１）ごとの目標温度の設定を可能にしながらも、空調空間（２１）の目標温度と実際の温度との不一致に対するユーザの不満を和らげることができる。
【符号の説明】
【０１０４】
１０  空調システム
１１  熱源装置
２０  建物
２１  空調空間
４０  操作表示装置（表示システム）
４１  画像表示装置
４５１  表示制御部
Ｐ２０  温度設定画面
Ｒ１０  基準温度変更領域
Ｒ２０  表示領域
Ｒ２１  操作領域
Ｒ２２  目標温度変更領域
Ｒ７０  運転モード設定領域
Ｂ２０，Ｂ２１  ラジオボタン（第１オブジェクト）
Ｂ２２  ラジオボタン（基準温度オブジェクト）
Ｂ２３，ｂ２４  ラジオボタン（第２オブジェクト）
Ｔ２０  状態表示オブジェクト
【図１】
2018109467.tif 000003
【図２】
2018109467.tif 000004
【図３】
2018109467.tif 000005
【図４】
2018109467.tif 000006
【図５】
2018109467.tif 000007
【図６】
2018109467.tif 000008
【図７】
2018109467.tif 000009
【図８】
2018109467.tif 000010
【図９】
2018109467.tif 000011